(57)【特許請求の範囲】
【請求項１】
ディジタル化された映像データ、音声データに、現在の時刻を表す時刻データが多重化されてなるディジタルデータを受信するディジタル放送用チューナーと、
前記受信されたディジタルデータから時刻データを分離するデータ分離部と、
前記分離された時刻データをデコードするシステムデコーダとを備え、
前記デコードされた時刻情報に基づいて、内部時計により計時される時刻を修正するディジタル放送受信装置において、
当該受信装置が動作状態にあるときは、動作中の前記ディジタル放送用チューナー、前記データ分離部、前記システムデコーダによって前記時刻情報を取得し、該取得した時刻情報により前記内部時計の計時時刻を修正し、当該受信装置が待機状態にあるときは、前記ディジタル放送用チューナー、前記データ分離部、前記システムデコーダの動作を停止させる手段と、
当該受信装置が待機状態のときに、前記内部時計により計時される時刻が初期化されたことを検知する検知手段と、
前記初期化が検知されたとき、前記待機状態から前記動作状態へ移行するために、当該受信装置を起動して、前記ディジタル放送用チューナー、前記データ分離部、前記システムデコーダを動作させることにより、前記時刻情報を取得し、前記内部時計により計時される時刻を修正・設定する時刻設定手段とを備え、
前記時刻設定手段による時刻の修正・設定が終了すると、前記動作状態から前記待機状態に戻ることを特徴とするディジタル放送受信装置。
【請求項２】
前記請求項１に記載のディジタル放送受信装置において、前記時刻設定手段にて、前記時刻情報を取得できないとき、一旦待機状態に戻り、所定時間経過後、再び当該受信装置を起動して、前記時刻情報を取得し、前記内部時計により計時される時刻を修正・設定することを特徴とするディジタル放送受信装置。
【発明の詳細な説明】
【０００１】
【発明の属する技術分野】
本発明は、ディジタル化された映像データ、音声データに、現在の時刻を表す時刻データが多重化されてなるディジタルデータを受信するディジタル放送受信装置に関するものである。
【０００２】
【従来の技術】
従来から、例えば特開平９−２８４６６５号公報などにおいて、ディジタル放送受信時、受信装置の内部時計の時刻補正を適応的に行うことができるディジタル放送受信装置が提案されている。従来のこの種のディジタル放送受信装置について、図３とともに説明する。ここで、図３は従来のディジタル放送受信装置における概略構成を示すブロック図である。
【０００３】
図３において、１はディジタル放送用チューナ、２はディジタル放送用チューナ１の出力から映像データ、音声データに多重化された現在の時刻を表す時刻データを分離するデータ分離部、３は分離された時刻データをデコードするシステムデコーダである。
【０００４】
４は現在時刻を計時している内部時計、５はシステムデコーダ３でデコードされた時刻情報と内部時計５で計時されている時刻とを比較し、内部時計５の計時時刻の補正の要否を判定する補正判定部、６は上記ディジタル放送用チューナー１、データ分離部２、システムデコーダ３などに常時電源を供給するための電源部である。
【０００５】
上記構成においては、ディジタル放送用チューナー１から出力された信号から、データ分離部２で映像データ、音声データ、時刻データ等を分離し、分離された時刻データをシステムデコーダ３でデコードする。また、補正判定部５でこのデコードされた時刻情報と内部時計５で計時されている時刻とを比較し、内部時計５で計時されている時刻の補正の要否を判定し、適応的に内部時計５の計時時刻を補正する。
【０００６】
【発明が解決しようとする課題】
しかしながら、上述した従来のディジタル放送受信装置においては、装置本体に電源が供給されていて、且つ電源スイッチがオンされていない待機状態であっても、放送される時刻データを受信してデコードしているため、待機状態であるにもかかわらず、多数の回路を動作させる必要があり、消費電力の削減が困難であるという問題があった。
【０００７】
本発明は、上述したような点に鑑みてなされたものであり、待機状態における消費電力を削減することが可能なディジタル放送受信装置を提供することを目的とする。
【０００８】
【課題を解決するための手段】
本発明に係るディジタル放送受信装置は、ディジタル化された映像データ、音声データに、現在の時刻を表す時刻データが多重化されてなるディジタルデータを受信するディジタル放送用チューナーと、前記受信されたディジタルデータから時刻データを分離するデータ分離部と、前記分離された時刻データをデコードするシステムデコーダとを備え、前記デコードされた時刻情報に基づいて、内部時計により計時される時刻を修正するディジタル放送受信装置において、当該受信装置が動作状態にあるときは、動作中の前記ディジタル放送用チューナー、前記データ分離部、前記システムデコーダによって前記時刻情報を取得し、該取得した時刻情報により前記内部時計の計時時刻を修正し、当該受信装置が待機状態にあるときは、前記ディジタル放送用チューナー、前記データ分離部、前記システムデコーダの動作を停止させる手段と、当該受信装置が待機状態のときに、前記内部時計により計時される時刻が初期化されたことを検知する検知手段と、前記初期化が検知されたとき、前記待機状態から前記動作状態へ移行するために、当該受信装置を起動して、前記ディジタル放送用チューナー、前記データ分離部、前記システムデコーダを動作させることにより、前記時刻情報を取得し、前記内部時計により計時される時刻を修正・設定する時刻設定手段とを備え、前記時刻設定手段による時刻の修正・設定が終了すると、前記動作状態から前記待機状態に戻ることを特徴とする。
【０００９】
すなわち、待機状態において、停電などにより内部時計の計時時刻が初期化されたとき、当該受信装置を待機状態から動作状態に移行させて、時刻情報を取得し、内部時計の管理時刻を設定・修正した後、待機状態に戻すものである。
【００１０】
これによって、待機状態においては、内部時計、マイコン（検知手段、時刻設定手段）のみを動作させることにより、正確な時刻を管理することができるため、消費電力を削減することが可能となる。
【００１１】
また、本発明に係るディジタル放送受信装置は、前記時刻設定手段にて、前記時刻情報を取得できないとき、一旦待機状態に戻り、所定時間経過後、再び当該受信装置を起動して、前記時刻情報を取得し、前記内部時計により計時される時刻を修正・設定することを特徴とする。
【００１２】
すなわち、当該受信装置を起動させたときに、時刻データが含まれた放送がなかったりして、時刻情報を取得することができない場合、そのまま一旦待機状態に戻り、内部時計の時刻設定が完了するまで、一定時間おきに当該受信装置を起動させるものである。
【００１３】
これによって、時刻情報が取得できない場合であっても、動作状態を続行することなく、一旦待機状態に戻して、所定時間後に再度当該受信装置を起動して、時刻情報を取得し、内部時計の計時時刻を修正・設定することができるので、さらに消費電力を削減することが可能となる。
【００１４】
【発明の実施の形態】
以下、本発明のディジタル放送受信装置の一実施形態を、図１及び図２とともに説明するが、上記従来例と同一部分には同一符号を付し、その説明は省略する。ここで、図１は本実施形態のディジタル放送受信装置における概略構成を示すブロック図、図２は本実施形態のディジタル放送受信装置における動作を示すフローチャートである。
【００１５】
図１において、１はディジタル放送用チューナ、２はディジタル放送用チューナ１の出力から映像データ、音声データに多重化された現在の時刻を表す時刻データを分離するデータ分離部、３は分離された時刻データをデコードするシステムデコーダである。
【００１６】
４は現在時刻を計時している内部時計、６は当該受信装置が動作状態のときに、上記ディジタル放送用チューナ１、データ分離部２、システムデコーダ３などに電源を供給するための電源部である。
【００１７】
７は当該受信装置が動作状態のときには、システムデコーダ３でデコードされた時刻情報と内部時計４で計時されている時刻とを比較し、必要に応じて内部時計４の計時時刻の補正を行うとともに、当該受信装置が待機状態のときには、内部時計４の計時時刻が初期化されたことを検知し、電源部６を起動させ、システムデコーダ３でデコードされた時刻情報に基づいて、内部時計４の計時時刻を設定・修正するマイコン（検知手段、時刻設定手段）である。
【００１８】
上記構成において、当該受信装置が待機状態にあるときは、内部時計４、マイコン７のみを動作させ、マイコン７は電源部６を制御して、ディジタル放送チューナー１、データ分離部２、システムデコーダ３の動作を停止させる。
【００１９】
このような待機状態における内部時計４の時刻設定動作について、図２のフローチャートとともに説明する。待機状態において、停電などにより内部時計４の計時時刻が初期化されたとき、停電復旧後直ちにマイコン７は電源部６を起動して、待機状態から動作状態に遷移させる。
【００２０】
そして、ディジタル放送用チューナー１の選局動作を行い、ディジタル放送を受信し、データ分離部２にて時刻データを分離する。分離された時刻データからシステムデコーダ３にて時刻情報として取得し、マイコン７は取得した時刻情報に基づいて、内部時計４の計時時刻を設定する。時刻設定が完了すると、マイコン７は電源部６を制御して再び待機状態に戻す。
【００２１】
ここで、当該受信装置を起動したときに、放送終了などにより時刻情報が取得できない場合がある。この場合は、内部時計４の時刻設定を行うことができないので、動作状態を維持せずに、一旦待機状態に遷移させる。
【００２２】
そして、予め設定された一定時間Ｔが経過したとき、再度電源部６を起動して動作状態に移行させ、時刻情報の取得を試みる。ここで、時刻情報の取得が成功すれば、内部時計４の時刻設定を行い、時刻情報が取得できなければ、そのまま待機状態に遷移させて、内部時計４の時刻設定が完了するまで、一定時間Ｔおきに時刻情報の取得を試行する。
【００２３】
以上のように、本実施形態によれば、待機状態においては、内部時計４、マイコン７（検知手段、時刻設定手段）のみを動作させることにより、停電などにより内部時計５が初期化された場合であっても、正確な時刻に設定・修正することができるため、待機状態時の消費電力を削減することが可能することが可能である。
【００２４】
また、時刻情報が取得できない場合であっても、動作状態を続行することなく、一旦待機状態に戻して、所定時間後に再度当該受信装置を起動して、時刻情報を取得し、内部時計４の計時時刻を修正・設定することができるので、さらに消費電力を削減することが可能となる。
【００２５】
【発明の効果】
本願請求項１に記載の発明に係るディジタル放送受信装置は、上述したような構成としているので、待機状態においては、内部時計、マイコン（検知手段、時刻設定手段）のみを動作させることにより、正確な時刻を管理することができるため、消費電力を削減することが可能となる。
【００２６】
本願請求項２に記載の発明に係るディジタル放送受信装置は、時刻情報が取得できない場合であっても、動作状態を続行することなく、一旦待機状態に戻して、所定時間後に再度当該受信装置を起動して、時刻情報を取得し、内部時計の計時時刻を修正・設定することができるので、さらに消費電力を削減することが可能となる。
【図面の簡単な説明】
【図１】本発明のディジタル放送受信装置の一実施形態における概略構成を示すブロック図である。
【図２】本発明のディジタル放送受信装置の一実施形態における動作を示すフローチャートである。
【図３】従来のディジタル放送受信装置における概略構成を示すブロック図である。
【符号の説明】
１  ディジタル放送用チューナー
２  データ分離部
３  システムデコーダ
４  内部時計
６  電源部
７  マイコン
【図１】
0003590550.tif 000002
【図２】
0003590550.tif 000003
【図３】
0003590550.tif 000004